(57)【要約】【課題】ＤＶＤビデオ規格のサブピクチャ付き映像の再生時に、例えば字幕の色が主映像の色と重なり字幕が見難くなるような場合、自動で字幕の色や明るさを調整して字幕を見やすくすることができる映像信号出力装置を提供する。【解決手段】画像情報検出手段１が主映像信号から画像情報（輝度や色度などの情報）を検出する。サブピクチャデコード手段２は、サブピクチャデータをデコード後、主映像の画像情報を基に、サブピクチャに設定されている色の輝度や色度を自動で変更して、主映像に重なるサブピクチャを見やすい色や明るさにする。合成手段３は、主映像信号とサブピクチャデコード手段２により輝度等が変更されたサブピクチャとを合成して出力する。【選択図】図１
2006295746.tif 000002
【特許請求の範囲】
【請求項１】
ＤＶＤビデオ規格のデータから得た主映像信号と副映像信号とを合成して出力する映像信号出力装置であって、
主映像信号から画像情報を検出する画像情報検出手段と、
前記画像情報を基に副映像信号の一部を変更する副映像信号処理手段と、
主映像信号と前記副映像信号処理手段により変更された副映像信号とを入力し、副映像信号に含まれる主映像信号とのブレンド比を基に主映像信号と副映像信号の合成を行う合成手段と、
を具備することを特徴とする映像信号出力装置。
【請求項２】
請求項１記載の映像信号出力装置であって、
前記画像情報検出手段は、前記画像情報として、主映像信号に含まれる輝度信号を検出し、
前記副映像信号処理手段は、前記画像情報検出手段により検出された輝度信号から副映像信号の表示位置に対応する位置の主映像信号の輝度を検出し、その輝度を基に副映像信号に含まれる輝度信号を変更する、
ことを特徴とする映像信号出力装置。
【請求項３】
請求項１記載の映像信号出力装置であって、
前記画像情報検出手段は、前記画像情報として、主映像信号に含まれる輝度信号から副映像信号の表示位置に対応する位置の輝度を検出し、
前記副映像信号処理手段は、前記画像情報検出手段により検出された輝度を基に副映像信号に含まれる輝度信号を変更する、
ことを特徴とする映像信号出力装置。
【請求項４】
請求項１記載の映像信号出力装置であって、
前記画像情報検出手段は、前記画像情報として、主映像信号に含まれる色度信号を検出し、
前記副映像信号処理手段は、前記画像情報検出手段により検出された色度信号から副映像信号の表示位置に対応する位置の主映像信号の色度を検出し、その色度を基に副映像信号に含まれる輝度信号あるいは色度信号を変更する、
ことを特徴とする映像信号出力装置。
【請求項５】
請求項１記載の映像信号出力装置であって、
前記画像情報検出手段は、前記画像情報として、主映像信号に含まれる色度信号から副映像信号の表示位置に対応する位置の色度を検出し、
前記副映像信号処理手段は、前記画像情報検出手段により検出された色度を基に副映像信号に含まれる輝度信号あるいは色度信号を変更する、
ことを特徴とする映像信号出力装置。
【請求項６】
請求項１記載の映像信号出力装置であって、
前記画像情報検出手段は、前記画像情報として、主映像信号に含まれる輝度信号から１フィールドあるいは１フレーム分の輝度情報を求め、
前記副映像信号処理手段は、前記画像情報検出手段により求められた前記輝度情報を基に副映像信号に含まれる輝度信号を変更する、
ことを特徴とする映像信号出力装置。
【請求項７】
請求項１記載の映像信号出力装置であって、
前記画像情報検出手段は、前記画像情報として、主映像信号に含まれる色度信号から１フィールドあるいは１フレーム分の色度情報を求め、
前記副映像信号処理手段は、前記画像情報検出手段により求められた前記色度情報を基に副映像信号に含まれる輝度信号あるいは色度信号を変更する、
ことを特徴とする映像信号出力装置。
【請求項８】
請求項１記載の映像信号出力装置であって、
前記画像情報検出手段は、前記画像情報として、主映像信号に含まれる輝度信号または色度信号から１フィールドあるいは１フレーム分の輝度情報または色度情報を求め、
前記副映像信号処理手段は、前記画像情報検出手段により求められた前記輝度情報または色度情報を基に副映像信号に含まれる前記ブレンド比を変更する、
ことを特徴とする映像信号出力装置。
【請求項９】
ＤＶＤビデオ規格のデータから得た主映像信号と副映像信号とを合成して出力する映像信号出力方法であって、
主映像信号から画像情報を検出する画像情報検出工程と、
前記画像情報を基に副映像信号の一部を変更する副映像信号処理工程と、
主映像信号と前記副映像信号処理工程において変更された副映像信号とを入力し、副映像信号に含まれる主映像信号とのブレンド比を基に主映像信号と副映像信号の合成を行う合成工程と、
を具備することを特徴とする映像信号出力方法。
【請求項１０】
請求項９記載の映像信号出力方法であって、
前記画像情報検出工程では、前記画像情報として、主映像信号に含まれる輝度信号を検出し、
前記副映像信号処理工程では、前記画像情報検出工程において検出された輝度信号から副映像信号の表示位置に対応する位置の主映像信号の輝度を検出し、その輝度を基に副映像信号に含まれる輝度信号を変更する、
ことを特徴とする映像信号出力方法。
【請求項１１】
請求項９記載の映像信号出力方法であって、
前記画像情報検出工程では、前記画像情報として、主映像信号に含まれる輝度信号から副映像信号の表示位置に対応する位置の輝度を検出し、
前記副映像信号処理工程では、前記画像情報検出工程において検出された輝度を基に副映像信号に含まれる輝度信号を変更する、
ことを特徴とする映像信号出力方法。
【請求項１２】
請求項９記載の映像信号出力方法であって、
前記画像情報検出工程では、前記画像情報として、主映像信号に含まれる色度信号を検出し、
前記副映像信号処理工程では、前記画像情報検出工程において検出された色度信号から副映像信号の表示位置に対応する位置の主映像信号の色度を検出し、その色度を基に副映像信号に含まれる輝度信号あるいは色度信号を変更する、
ことを特徴とする映像信号出力方法。
【請求項１３】
請求項９記載の映像信号出力方法であって、
前記画像情報検出工程では、前記画像情報として、主映像信号に含まれる色度信号から副映像信号の表示位置に対応する位置の色度を検出し、
前記副映像信号処理工程では、前記画像情報検出工程において検出された色度を基に副映像信号に含まれる輝度信号あるいは色度信号を変更する、
ことを特徴とする映像信号出力方法。
【請求項１４】
請求項９記載の映像信号出力方法であって、
前記画像情報検出工程では、前記画像情報として、主映像信号に含まれる輝度信号から１フィールドあるいは１フレーム分の輝度情報を求め、
前記副映像信号処理工程では、前記画像情報検出工程において求められた前記輝度情報を基に副映像信号に含まれる輝度信号を変更する、
ことを特徴とする映像信号出力方法。
【請求項１５】
請求項９記載の映像信号出力方法であって、
前記画像情報検出工程では、前記画像情報として、主映像信号に含まれる色度信号から１フィールドあるいは１フレーム分の色度情報を求め、
前記副映像信号処理工程では、前記画像情報検出工程において求められた前記色度情報を基に副映像信号に含まれる輝度信号あるいは色度信号を変更する、
ことを特徴とする映像信号出力方法。
【請求項１６】
請求項９記載の映像信号出力方法であって、
前記画像情報検出工程では、前記画像情報として、主映像信号に含まれる輝度信号または色度信号から１フィールドあるいは１フレーム分の輝度情報または色度情報を求め、
前記副映像信号処理工程では、前記画像情報検出工程において求められた前記輝度情報または色度情報を基に副映像信号に含まれる前記ブレンド比を変更する、
ことを特徴とする映像信号出力方法。
【発明の詳細な説明】
【技術分野】
【０００１】
本発明は、ＤＶＤビデオ規格のサブピクチャ付き映像の再生時に、主映像信号と副映像信号（サブピクチャ）を合成して出力する映像信号出力装置、および映像信号出力方法に関する。
【背景技術】
【０００２】
近年、ビデオ信号をデジタル化して記録した光ディスクであるＤＶＤが普及している。
このＤＶＤのフォーマットでは、主映像の圧縮された画像データの他に、オーディオデータとサブピクチャデータとが多重化されて記録される。サブピクチャとは、主に主映像と重ね合わせて表示される字幕やメニューなどの副映像のことをいう。
【０００３】
しかし、主映像にサブピクチャを重畳した場合、例えば字幕の色によっては、背景となる主映像の色や明るさとの関係から字幕が見難くなることがあった。そこで、従来の映像信号出力装置では、字幕の色を手動で設定できるようにしていた（例えば、特許文献１参照。）。
【０００４】
しかしながら、字幕の色を手動で設定すると手間がかかるという問題があった。
【特許文献１】特開２００２−４４５９０号公報
【発明の開示】
【発明が解決しようとする課題】
【０００５】
本発明は、上記問題点に鑑み、例えば字幕の色が主映像の色と重なり字幕が見難くなるような場合に自動で字幕やその背景の色、明るさなどを調整して字幕を見やすくすることができる映像信号出力装置、および映像信号出力方法を提供することを目的とする。
【課題を解決するための手段】
【０００６】
本発明の請求項１記載の映像信号出力装置は、ＤＶＤビデオ規格のデータから得た主映像信号と副映像信号とを合成して出力する映像信号出力装置であって、主映像信号から画像情報を検出する画像情報検出手段と、前記画像情報を基に副映像信号の一部を変更する副映像信号処理手段と、主映像信号と前記副映像信号処理手段により変更された副映像信号とを入力し、副映像信号に含まれる主映像信号とのブレンド比を基に主映像信号と副映像信号の合成を行う合成手段と、を具備することを特徴とする。
【０００７】
また、本発明の請求項２記載の映像信号出力装置は、請求項１記載の映像信号出力装置であって、前記画像情報検出手段は、前記画像情報として、主映像信号に含まれる輝度信号を検出し、前記副映像信号処理手段は、前記画像情報検出手段により検出された輝度信号から副映像信号の表示位置に対応する位置の主映像信号の輝度を検出し、その輝度を基に副映像信号に含まれる輝度信号を変更する、ことを特徴とする。
【０００８】
また、本発明の請求項３記載の映像信号出力装置は、請求項１記載の映像信号出力装置であって、前記画像情報検出手段は、前記画像情報として、主映像信号に含まれる輝度信号から副映像信号の表示位置に対応する位置の輝度を検出し、前記副映像信号処理手段は、前記画像情報検出手段により検出された輝度を基に副映像信号に含まれる輝度信号を変更する、ことを特徴とする。
【０００９】
また、本発明の請求項４記載の映像信号出力装置は、請求項１記載の映像信号出力装置であって、前記画像情報検出手段は、前記画像情報として、主映像信号に含まれる色度信号を検出し、前記副映像信号処理手段は、前記画像情報検出手段により検出された色度信号から副映像信号の表示位置に対応する位置の主映像信号の色度を検出し、その色度を基に副映像信号に含まれる輝度信号あるいは色度信号を変更する、ことを特徴とする。
【００１０】
また、本発明の請求項５記載の映像信号出力装置は、請求項１記載の映像信号出力装置であって、前記画像情報検出手段は、前記画像情報として、主映像信号に含まれる色度信号から副映像信号の表示位置に対応する位置の色度を検出し、前記副映像信号処理手段は、前記画像情報検出手段により検出された色度を基に副映像信号に含まれる輝度信号あるいは色度信号を変更する、ことを特徴とする。
【００１１】
また、本発明の請求項６記載の映像信号出力装置は、請求項１記載の映像信号出力装置であって、前記画像情報検出手段は、前記画像情報として、主映像信号に含まれる輝度信号から１フィールドあるいは１フレーム分の輝度情報を求め、前記副映像信号処理手段は、前記画像情報検出手段により求められた前記輝度情報を基に副映像信号に含まれる輝度信号を変更する、ことを特徴とする。
【００１２】
また、本発明の請求項７記載の映像信号出力装置は、請求項１記載の映像信号出力装置であって、前記画像情報検出手段は、前記画像情報として、主映像信号に含まれる色度信号から１フィールドあるいは１フレーム分の色度情報を求め、前記副映像信号処理手段は、前記画像情報検出手段により求められた前記色度情報を基に副映像信号に含まれる輝度信号あるいは色度信号を変更する、ことを特徴とする。
【００１３】
また、本発明の請求項８記載の映像信号出力装置は、請求項１記載の映像信号出力装置であって、前記画像情報検出手段は、前記画像情報として、主映像信号に含まれる輝度信号または色度信号から１フィールドあるいは１フレーム分の輝度情報または色度情報を求め、前記副映像信号処理手段は、前記画像情報検出手段により求められた前記輝度情報または色度情報を基に副映像信号に含まれる前記ブレンド比を変更する、ことを特徴とする。
【００１４】
また、本発明の請求項９記載の映像信号出力方法は、ＤＶＤビデオ規格のデータから得た主映像信号と副映像信号とを合成して出力する映像信号出力方法であって、主映像信号から画像情報を検出する画像情報検出工程と、前記画像情報を基に副映像信号の一部を変更する副映像信号処理工程と、主映像信号と前記副映像信号処理工程において変更された副映像信号とを入力し、副映像信号に含まれる主映像信号とのブレンド比を基に主映像信号と副映像信号の合成を行う合成工程と、を具備することを特徴とする。
【００１５】
また、本発明の請求項１０記載の映像信号出力方法は、請求項９記載の映像信号出力方法であって、前記画像情報検出工程では、前記画像情報として、主映像信号に含まれる輝度信号を検出し、前記副映像信号処理工程では、前記画像情報検出工程において検出された輝度信号から副映像信号の表示位置に対応する位置の主映像信号の輝度を検出し、その輝度を基に副映像信号に含まれる輝度信号を変更する、ことを特徴とする。
【００１６】
また、本発明の請求項１１記載の映像信号出力方法は、請求項９記載の映像信号出力方法であって、前記画像情報検出工程では、前記画像情報として、主映像信号に含まれる輝度信号から副映像信号の表示位置に対応する位置の輝度を検出し、前記副映像信号処理工程では、前記画像情報検出工程において検出された輝度を基に副映像信号に含まれる輝度信号を変更する、ことを特徴とする。
【００１７】
また、本発明の請求項１２記載の映像信号出力方法は、請求項９記載の映像信号出力方法であって、前記画像情報検出工程では、前記画像情報として、主映像信号に含まれる色度信号を検出し、前記副映像信号処理工程では、前記画像情報検出工程において検出された色度信号から副映像信号の表示位置に対応する位置の主映像信号の色度を検出し、その色度を基に副映像信号に含まれる輝度信号あるいは色度信号を変更する、ことを特徴とする。
【００１８】
また、本発明の請求項１３記載の映像信号出力方法は、請求項９記載の映像信号出力方法であって、前記画像情報検出工程では、前記画像情報として、主映像信号に含まれる色度信号から副映像信号の表示位置に対応する位置の色度を検出し、前記副映像信号処理工程では、前記画像情報検出工程において検出された色度を基に副映像信号に含まれる輝度信号あるいは色度信号を変更する、ことを特徴とする。
【００１９】
また、本発明の請求項１４記載の映像信号出力方法は、請求項９記載の映像信号出力方法であって、前記画像情報検出工程では、前記画像情報として、主映像信号に含まれる輝度信号から１フィールドあるいは１フレーム分の輝度情報を求め、前記副映像信号処理工程では、前記画像情報検出工程において求められた前記輝度情報を基に副映像信号に含まれる輝度信号を変更する、ことを特徴とする。
【００２０】
また、本発明の請求項１５記載の映像信号出力方法は、請求項９記載の映像信号出力方法であって、前記画像情報検出工程では、前記画像情報として、主映像信号に含まれる色度信号から１フィールドあるいは１フレーム分の色度情報を求め、前記副映像信号処理工程では、前記画像情報検出工程において求められた前記色度情報を基に副映像信号に含まれる輝度信号あるいは色度信号を変更する、ことを特徴とする。
【００２１】
また、本発明の請求項１６記載の映像信号出力方法は、請求項９記載の映像信号出力方法であって、前記画像情報検出工程では、前記画像情報として、主映像信号に含まれる輝度信号または色度信号から１フィールドあるいは１フレーム分の輝度情報または色度情報を求め、前記副映像信号処理工程では、前記画像情報検出工程において求められた前記輝度情報または色度情報を基に副映像信号に含まれる前記ブレンド比を変更する、ことを特徴とする。
【発明の効果】
【００２２】
本発明によれば、主映像信号の画像情報（輝度信号や、色度信号、輝度情報、色度情報）を基に副映像信号（サブピクチャ）の輝度信号や、色度信号、ブレンド比（α値）を自動的に変更するので、例えば字幕等と主映像の色が似ており字幕が見難い場合でも、サブピクチャ（字幕、背景）の色、明るさが主映像の色、明るさにより自動で調整され、字幕等を見やすくすることができる。
【発明を実施するための最良の形態】
【００２３】
以下、本発明の実施の形態における映像信号出力装置、および映像信号出力方法について、図面を参照しながら説明する。図１は本実施の形態における映像信号出力装置のブロック図を示す。図１において、１は画像情報検出手段、２はサブピクチャデコード手段、３は合成手段を示す。
【００２４】
ＤＶＤビデオ規格のデータを再生する場合、動画や静止画などのデータが含まれる主映像データと、字幕などのデータが含まれる副映像データに分離し、それぞれデコードして主映像信号、副映像信号とし、合成して出力する。ここでは副映像信号がサブピクチャになる。
【００２５】
画像情報検出手段１は主映像信号を入力し、主映像の画像情報（輝度や色度の情報）を検出して、サブピクチャデコード手段２へその検出結果を出力する。サブピクチャデコード手段（副映像信号処理手段）２は入力されたサブピクチャデータ（副映像データ）をデコード後、画像情報検出手段１から出力される画像情報を基にサブピクチャ（副映像信号）を加工して合成手段３に出力する。
【００２６】
合成手段３は、主映像信号とサブピクチャデコード手段２から出力される加工されたサブピクチャとを入力し、サブピクチャ（副映像信号）に含まれる主映像信号とのブレンド比（α値）を基に主映像信号とサブピクチャを合成して出力する。
【００２７】
ＤＶＤビデオ規格における主映像の１画像分のデータサイズは、一般にＮＴＳＣ方式で７２０×４８０ピクセルのサイズであり、各ピクセルの輝度Ｙと色度Ｃｂ、Ｃｒはそれぞれ８ｂｉｔで表される。但し、色度Ｃｂ、Ｃｒについては、１枚の画像を７２０×２４０もしくは３６０×４８０のサイズに分けて設定する場合もある。また、画像情報検出手段１と合成手段３に入力される主映像信号には、画像として有効な信号以外に同期信号の部分などが含まれる場合もある。以下では、色度Ｃｂ、Ｃｒが、１枚の画像を３６０×４８０のサイズに分けて設定される場合について説明する。
【００２８】
サブピクチャデコード手段２に入力されるサブピクチャデータは、ＤＶＤ規格のサブピクチャであり、最大１６色である。各色にはそれぞれ輝度Ｙと色度Ｃｂ、Ｃｒとα値が設定されそれぞれ８ｂｉｔで表される。α値は主映像信号と合成する割合（ブレンド比）であり、合成手段３は、α値が０ｘ００の場合、主映像信号のみを出力し、α値が０ｘｆｆの場合、サブピクチャのみを出力し、α値が例えば０ｘ８０の場合、主映像信号とサブピクチャを足して２で割った信号を出力する。
【００２９】
画像情報検出手段１は、入力される主映像信号から輝度信号もしくは色度信号を検出して、画像情報としてサブピクチャデコード手段２へ出力する。あるいは、主映像の１フィールドあるいは１フレーム分の輝度情報または色度情報として１枚の画像（１フィールドあるいは１フレーム）の明るさの分布または色の分布を求めて、画像情報としてサブピクチャデコード手段２へ出力する。
【００３０】
なお、画像情報検出手段１がサブピクチャの表示位置の情報を受けて、サブピクチャの表示位置に対応する位置の主映像信号の輝度Ｙまたは色度Ｃｂ、Ｃｒを検出して、画像情報としてサブピクチャデコード手段２へ出力する構成としてもよい。
【００３１】
ここで明るさの分布とは、
ｍｉｎＹ≦Ｙ≦ｍａｘＹ（ｍｉｎＹ、ｍａｘＹは分布の範囲）
の範囲にある各輝度Ｙの１画像に含まれる数のことである。「ｍｉｎＹ」、「ｍａｘＹ」はサブピクチャの１６色の輝度の値を基に設定できる。また、輝度Ｙの２５６通りの値それぞれについての数を求めるようにしてもよい。
【００３２】
また、ここで色の分布とは、明るさの分布と同様に、
ｍｉｎＣｂ≦Ｃｂ≦ｍａｘＣｂ、且つ、ｍｉｎＣｒ≦Ｃｒ≦ｍａｘＣｒ、（ｍｉｎＣｂ、ｍｉｎＣｒ、ｍａｘＣｂ、ｍａｘＣｒは分布の範囲）
の範囲にある各色度Ｃｂ、Ｃｒの１画像に含まれる数のことである。色の分布についても、明るさの分布と同様にサブピクチャの１６色の色度の値を基に「ｍｉｎＣｂ、ｍｉｎＣｒ、ｍａｘＣｂ、ｍａｘＣｒ」を設定できる。
【００３３】
続いて、サブピクチャデコード手段２の動作について説明する。サブピクチャデコード手段２は、圧縮されたサブピクチャデータをデコード後、画像情報検出手段１から出力される画像情報を基に副映像信号の一部（輝度信号または色度信号またはα値）を変更する（サブピクチャの加工）。
【００３４】
画像情報検出手段１から画像情報として輝度信号が出力される場合、主映像の輝度をＹ０、デコードしたサブピクチャの輝度をＹ１とすると、サブピクチャデコード手段２は副映像信号の表示位置に対応する位置の主映像の輝度Ｙ０を検出し、サブピクチャの各位置（例えば１画素ごと）の輝度Ｙ１とそれぞれ比較する。
【００３５】
そして、差分が閾値ＴＨＹ以下の場合、すなわち、｜Ｙ０−Ｙ１｜≦ＴＨＹの場合、サブピクチャデコード手段２はサブピクチャの輝度信号を変更して、差分が閾値ＴＨＹ以下となるサブピクチャの輝度Ｙ１を例えば「（Ｙ１＋０ｘ８０）  ａｎｄ  ０ｘｆｆ」などに変更する。あるいは、主映像の輝度Ｙ０が０ｘ８０以上の場合はサブピクチャの輝度Ｙ１を０ｘ１０などに変更する。あるいは、主映像の輝度Ｙ０が０ｘ８０未満の場合はサブピクチャの輝度Ｙ１を０ｘｅｂなどに変更する。あるいは、この比較結果を１フレームあるいは１フィールド分カウントし、同色のサブピクチャに対する上記差分が閾値ＴＨＹ以下となる割合が所定値以上の場合、その色の輝度Ｙ１を変更する。なお、閾値ＴＨＹは、‘０’以上の任意の値とする。
【００３６】
また、画像情報検出手段１からサブピクチャの表示位置に対応する位置（例えば１画素ごと）の主映像信号の輝度Ｙが出力される場合も、上記と同様に、サブピクチャの各位置の輝度Ｙ１とそれぞれ比較して、サブピクチャの輝度信号の変更を行う。
【００３７】
続いて、画像情報検出手段１から画像情報として色度信号が出力される場合のサブピクチャデコード手段２の動作について説明する。主映像の色度をＣｂ０、Ｃｒ０、デコードしたサブピクチャの色度をＣｂ１、Ｃｒ１とすると、サブピクチャデコード手段２は副映像信号の表示位置に対応する位置の主映像の色度Ｃｂ０、Ｃｒ０を検出し、サブピクチャの各位置（例えば１画素ごと）の色度Ｃｂ１、Ｃｒ１とそれぞれ比較する。
【００３８】
そして、差分が閾値ＴＨＣｂ、ＴＨＣｒ以下の場合、すなわち、｜Ｃｂ０−Ｃｂ１｜≦ＴＨＣｂ、且つ｜Ｃｒ０−Ｃｒ１｜≦ＴＨＣｒの場合、サブピクチャの輝度信号あるいは色度信号を変更する。
【００３９】
輝度信号の変更は、上記した輝度信号の変更方法と同様である。つまり、差分が｜Ｃｂ０−Ｃｂ１｜≦ＴＨＣｂ、且つ｜Ｃｒ０−Ｃｒ１｜≦ＴＨＣｒとなる色度Ｃｂ１、Ｃｒ１が設定された画素の輝度Ｙ１を変更する。
【００４０】
また、色度信号を変更する場合は、上記した輝度信号の変更方法と同様に、差分が閾値ＴＨＣｂ、ＴＨＣｒ以下となるサブピクチャの色度Ｃｂ１またはＣｒ１を「（Ｃｂ１＋０ｘ８０）  ａｎｄ  ０ｘｆｆ」または「（Ｃｒ１＋０ｘ８０）  ａｎｄ  ０ｘｆｆ」などに変更する。あるいは、主映像の色度Ｃｂ０、Ｃｒ０がともに０ｘ８０以上の場合はサブピクチャの色度Ｃｂ１、Ｃｒ１をともに０ｘ１０などに変更する。あるいは、主映像の色度Ｃｂ０、Ｃｒ０がともに０ｘ８０未満の場合はサブピクチャの色度Ｃｂ１、Ｃｒ１をともに０ｘｅｂなどに変更する。あるいは、この比較結果を１フレームあるいは１フィールド分カウントし、同色のサブピクチャに対する上記差分が閾値ＴＨＣｂ、ＴＨＣｒ以下となる割合が所定値以上の場合、その色の色度Ｃｂ１、Ｃｒ１を変更する。なお、閾値ＴＨＣｂ、ＴＨＣｒは、‘０’以上の任意の値とする。
【００４１】
画像情報検出手段１からサブピクチャの表示位置に対応する位置（例えば１画素ごと）の主映像信号の色度Ｃｂ０、Ｃｒ０が出力される場合も、上記と同様に、サブピクチャの各位置の色度Ｃｂ１、Ｃｒ１とそれぞれ比較して、サブピクチャの輝度信号あるいは色度信号の変更を行う。
【００４２】
図２にサブピクチャの輝度信号を変更する一例を示す。
図２において、左がサブピクチャの輝度信号を変更しない場合の合成画像（合成手段３から出力される信号を基にディスプレイ表示した画像）であり、右がサブピクチャの輝度信号を上記方法により変更した場合の合成画像である。
【００４３】
破線の枠内がサブピクチャの表示であり、変更前は、サブピクチャの文字部分（サブピクチャと白抜きされている部分）の色が白（Ｙ：０ｘｅｂ  Ｃｂ：０ｘ８０  Ｃｒ：０ｘ８０  α：０ｘｆｆ）で文字以外が透明（α：０ｘ００  Ｙ、Ｃｂ、Ｃｒは任意）であり、その後ろの主映像も白とする。この場合、サブピクチャと主映像は重なり通常は見えなくなる。そこでサブピクチャの輝度信号を上記方法で変更する。
【００４４】
この場合、サブピクチャの文字部分に対応する位置の主映像とサブピクチャの輝度の差分は、同色であるので‘０’になる。閾値ＴＨＹ以下であり主映像の輝度Ｙ０が０ｘ８０以上のため、サブピクチャの文字部分の輝度Ｙ１を０ｘ１０に変更する。その結果、サブピクチャの文字部分の色が黒となり、図２の右に示す合成画像が表示される。よって、ユーザはサブピクチャを見ることができる。
【００４５】
続いて、画像情報検出手段１から画像情報として主映像の１枚の画像の明るさの分布が出力される場合のサブピクチャデコード手段２の動作について説明する。サブピクチャデコード手段２は、デコードしたサブピクチャに設定されている各輝度Ｙ１の明るさの分布（主映像の１画像に含まれる数）が閾値以上の場合、サブピクチャの輝度信号を変更して、明るさの分布が閾値以上となるサブピクチャの輝度Ｙ１を例えば「（Ｙ１＋０ｘ８０）  ａｎｄ  ０ｘｆｆ」などに変更する。あるいは、その輝度Ｙ１が０ｘ８０以上の場合は０ｘ１０などに変更する。あるいは、その輝度Ｙ１が０ｘ８０以下の場合は０ｘｅｂなどに変更する。
【００４６】
この明るさの分布を求めるタイミングについて、図３を用いて説明する。但し、１枚の画像は１フレームの画像とする。図３に示すように、画像情報検出手段１は、主映像の１フレームの画像情報（主映像の１枚の画像の明るさの分布）を検出すると、次のフレームでその検出結果を出力する。その検出結果（画像情報）を利用してサブピクチャデコード手段２はサブピクチャを加工する。ここで、主映像のフレームとサブピクチャのフレームは１フレーム分異なる。そこで、合成手段３に入力される主映像を１フレーム遅らせ、サブピクチャデコード手段２に入力されるサブピクチャデータを１フレーム遅らせることで主映像の画像情報とサブピクチャの画像の対応をあわせることもできる。
【００４７】
続いて、画像情報検出手段１から画像情報として主映像の１枚の画像の色の分布が出力される場合のサブピクチャデコード手段２の動作について説明する。サブピクチャデコード手段２は、画像情報として明るさの分布が出力される場合と同様に、デコードしたサブピクチャに設定されている各色度Ｃｂ１、Ｃｒ１の色の分布（主映像の１画像に含まれる数）が閾値以上の場合、サブピクチャの輝度信号あるいは色度信号を変更する。
【００４８】
輝度信号の変更は、画像情報として主映像の１枚の画像の明るさの分布が出力される場合と同様である。つまり、色の分布が閾値以上となる色度が設定されている画素の輝度Ｙを変更する。
【００４９】
また、色度信号を変更する場合は、画像情報として明るさの分布が出力される場合の輝度信号の変更方法と同様に、色の分布が閾値以上となる色度が設定されている画素の色度Ｃｂ１またはＣｒ１を「（Ｃｂ１＋０ｘ８０）  ａｎｄ  ０ｘｆｆ」または「（Ｃｒ１＋０ｘ８０）  ａｎｄ  ０ｘｆｆ」などに変更する。あるいは、その色度Ｃｂ１、Ｃｒ１がともに０ｘ８０以上の場合はともに０ｘ１０などに変更する。あるいは、その色度Ｃｂ１、Ｃｒ１がともに０ｘ８０未満の場合はともに０ｘｅｂなどに変更する。
【００５０】
なお、デコードしたサブピクチャの輝度Ｙ１や色度Ｃｂ１、Ｃｒ１を用いる場合について説明したが、デコード後のサブピクチャではなく、デコーダ内にあるデコード前の１６色の色と直接比較してもよい。つまり、主映像の１枚の画像の明るさと色の分布を用いる場合は、毎回サブピクチャデコード手段２の出力と比較する必要はなく、サブピクチャデータを入力したデコーダに設定される１６色の各輝度、各色度の明るさの分布、色の分布を閾値と比較すればよい。
【００５１】
続いて、サブピクチャデコード手段２がサブピクチャのα値を変更する場合について説明する。画像情報検出手段１から画像情報として主映像の１枚の画像の明るさの分布または色の分布が出力されると、サブピクチャデコード手段２は、上記と同様に、デコードしたサブピクチャに設定されている透明（α値が０ｘ００）以外の色の各輝度Ｙ１または各色度Ｃｂ１、Ｃｒ１の分布（主映像の１画像に含まれる数）が閾値以上であるか否かを判定する。
【００５２】
そして、その判定結果を基に、サブピクチャの透明な部分のα値（０ｘ００）を例えば０ｘ８０や０ｘｆｆなどに変更して不透明にする。ここで、この透明な部分の輝度Ｙと色度Ｃｂ、Ｃｒの値を、α値の変更とともに黒（Ｙ：０ｘ１０  Ｃｂ：０ｘ８０  Ｃｒ：０ｘ８０）や白（Ｙ：０ｘｅｆ  Ｃｂ：０ｘ８０  Ｃｒ：０ｘ８０）などに変更することもできる。あるいは、画像情報検出手段１から画像情報として主映像の１枚の画像の色の分布が出力される場合には、デコードしたサブピクチャに設定されている透明以外の色度の分布の結果から適当な色へ変更することもできる。
【００５３】
図４にサブピクチャのα値を変更する一例を示す。
図４において、左がサブピクチャのα値を変更しない場合の合成画像であり、右がサブピクチャのα値を上記方法により変更した場合の合成画像である。
【００５４】
破線の枠内がサブピクチャの表示であり、変更前は、サブピクチャの文字部分（サブピクチャと白抜きされている部分）の色が白で文字以外が透明であり、背景の主映像も白であるので、サブピクチャと主映像は重なり通常は見えなくなる。そこでサブピクチャのα値を上記方法で変更する。
【００５５】
この場合、背景の主映像は全色白（Ｙ：０ｘｅｂ  Ｃｂ：０ｘ８０  Ｃｒ：０ｘ８０）であるので、例えば色の分布は白が７２０×４８０＝３４５６００個になる。また、サブピクチャの文字部分も全色白であり、サブピクチャの文字部分の色（白）の分布は全て３４５６００個となる。この数が閾値以上であると、サブピクチャの透明部分のα値を０ｘ００から０ｘ８０に変更する。結果、サブピクチャの透明部分が灰色になり、図２の右に示す合成画像が表示される。よって、ユーザはサブピクチャを見ることができる。
【００５６】
合成手段３は、主映像（Ｙ０、Ｃｂ０、Ｃｒ０）とサブピクチャデコード手段２の出力結果（Ｙ１、Ｃｂ１、Ｃｒ１、α１）を合成して映像信号（Ｙｏ、Ｃｂｏ、Ｃｒｏ）を出力する。合成とは次の演算を行うことである。但し、実際は四捨五入の処理とα１が２５５の場合２５６へ変更するなどの処理を行う。
【００５７】
【数１】
2006295746.tif 000003
以上のように、本実施の形態では、例えば字幕等の色が主映像と重なり字幕等が見難くなる場合でも、サブピクチャ（字幕や背景）の輝度（明るさ）や色度（色）やα値（主映像信号とのブレンド比）を主映像の画像情報（輝度、色度などの情報）により自動で変更して字幕等を見やすくすることができる。
【００５８】
なお、本実施の形態では、サブピクチャデコード手段２がサブピクチャデータをデコード後、サブピクチャを加工する構成としたが、サブピクチャデータをデコードしたものを入力し、上記のような加工を行う副映像信号処理手段を設けてもよい。また、主映像のサイズやビット数、サブピクチャのサイズやビット数はどんな値であってもよい。
【産業上の利用可能性】
【００５９】
本発明に係る映像信号出力装置、および映像信号出力方法は、ＤＶＤビデオの再生時に、サブピクチャの色、明るさを自動で調整することにより、字幕等を見やすくすることができ、ＤＶＤビデオ規格のサブピクチャ付き映像を再生する装置などに有用である。
【図面の簡単な説明】
【００６０】
【図１】本発明の実施の形態における映像信号出力装置のブロック図
【図２】本発明の実施の形態におけるサブピクチャの輝度の変更方法の一例を説明するための図
【図３】本発明の実施の形態における映像信号出力装置の動作タイミングを説明するための図
【図４】本発明の実施の形態におけるサブピクチャのα値の変更方法の一例を説明するための図
【符号の説明】
【００６１】
１    画像情報検出手段
２    サブピクチャデコード手段
３    合成手段
【図１】
2006295746.tif 000004
【図２】
2006295746.tif 000005
【図３】
2006295746.tif 000006
【図４】
2006295746.tif 000007